(57)【要約】【解決課題】  展張の間ネットがエスター線と直接接触することを防ぐことができ、かつ、ネットの繰り出し性が良好な農業用ネット展張用の支持具を提供することを目的とする。【解決手段】  内部に案内線を貫通することができ案内線に沿って移動可能である、軸方向に延びる筒部と、筒部の少なくとも一方の端に位置し、筒部の軸方向と１５〜９０°の角度をなし、高さが１０〜１００ｍｍである壁部とを備えてなる、農業用ネットを展張するために使用する支持具。【選択図】なし【特許請求の範囲】
【請求項１】
内部に案内線を貫通することができ案内線に沿って移動可能である、軸方向に延びる筒部と、筒部の少なくとも一方の端に位置し、筒部の軸方向と１５〜９０°の角度をなし、高さが１０〜１００ｍｍである壁部とを備えてなる、農業用ネットを展張するために使用する支持具。
【請求項２】
筒部及び壁部が軸方向に沿って案内線を取り外すための間隙を有する、請求項１に記載の支持具。
【請求項３】
支持具が２つ以上に分割可能で、かつ案内線に取り付けたとき勘合できることを特徴とする請求項１又は２に記載の支持具。
【請求項４】
請求項１〜３のいずれか１項に記載の支持具を使用する方法。
【発明の詳細な説明】
【技術分野】
【０００１】
本発明は、特定の形状を有する農業用ネット展張用の支持具を提供することを目的とする。
【背景技術】
【０００２】
蔓性植物生育用の農業用ネットとして、従来は、ポリエチレンを主体とした材料を成形して得られるネットが使用されてきた。しかしながら、ポリエチレンを主体とした材料は、自然環境下における分解速度が極めて遅いため土中埋設による処理は不適であり、かつ焼却処理を行う場合も焼却炉を傷めたりするなど、その処理に問題があった。
【０００３】
このようなポリエチレン主体の材料の問題に鑑み、ネットの材料として、脂肪族ポリエステル系樹脂などの生分解性プラスチックを用いる検討が行われてきた。その中には、近年、ネットとして十分な強度を有し成形性も良好で実用化が見込めるものも見出されてきた（出願人の同時係属出願である特願２００７−１６６０１）。
【０００４】
一方、ネットの展張は、通常、エスター線と呼ばれる案内線（金属製、またはプラスチック製であり、これらにプラスチックを被覆してあるものが一般的である）にまずネットの束をかけて、展張する方向に沿ってネットの束を少しずつ解きながら行われる。この場合、ネットはエスター線と直接接触することとなるが、従来のポリエチレンを主体としたネットでも、エスター線と直接接触するとき、擦れてたまにではあるが切れることがあった。これに対して生分解性プラスチック製のネットはポリエチレン主体のものに比べて耐摩耗性の点で劣る傾向がありエスター線と直接接触するとネットが途中で切れる不具合が頻発するようになった。
【発明の開示】
【発明が解決しようとする課題】
【０００５】
本発明は、展張の間ネットがエスター線と直接接触することを防ぐことができ、かつ、ネットの繰り出し性が良好な農業用ネット展張用の支持具を提供することを目的とする。
【課題を解決するための手段】
【０００６】
本発明者らは、鋭意検討した結果、所定の形状の筒部と、筒部の少なくとも一方の端に位置し、筒部と特定の角度をなし特定の高さの壁部を有する支持具により、ネットとエスター線とが直接接触するのを防ぎながら、ネットを順繰りに繰り出すことができることを見出し、本発明を完成した。
【０００７】
即ち、本発明は、
（１）内部に案内線を貫通することができ案内線に沿って移動可能である、軸方向に延びる筒部と、筒部の少なくとも一方の端に位置し、筒部の軸方向と１５〜９０°の角度をなし、高さが１０〜１００ｍｍである壁部とを備えてなる、農業用ネットを展張するために使用する支持具、
（２）筒部及び壁部が軸方向に沿って案内線を取り外すための間隙を有する、（１）に記載の支持具、
（３）支持具が２つ以上に分割可能で、かつ案内線に取り付けたとき勘合できることを特徴とする（１）又は（２）に記載の支持具、及び
（４）（１）〜（３）のいずれか一に記載の支持具を使用する方法、に関する。
【０００８】
本発明の支持具は、筒部と壁部とから主に構成される。
【０００９】
筒部は、エスター線を内部に通すことができ、エスター線に沿って移動可能である。筒部の断面は円、三角形、四角形、菱形等取扱いやすい任意の形状でよい。筒部断面の大きさは好適には３０ｍｍφ〜１００ｍｍφである。また、筒部の長さは、好ましくは１３０ｍｍ〜３００ｍｍである。
【００１０】
壁部は、筒部の少なくとも一方の端に位置し、筒部と１５〜９０°の角度をなしている。筒部と壁部とのなす角が１５°より小さいとネットが束になって繰り出されてしまい、９０°より大きいとネットが壁部に引っ掛かりスムーズに繰り出しができない。また、壁部の高さは１０〜１００ｍｍである。高さが１０ｍｍより小さいと、ネットが束になって繰り出されてしまい、一方高さが１００ｍｍより大きいとネットが壁部に引っ掛かってしまい繰り出しに支障が出る。ネットが壁部に引っ掛かることなく良好に繰り出されるには高さを１０〜５０ｍｍとするのがより好ましい。即ち、筒部と壁部が上記の範囲内のなす角を有し、壁部が上記の範囲内の高さを有する場合に限り、支障なくネットを繰り出すことができるのである。ここで、壁部の高さは、支持具を水平に置いた時の筒部上面部から壁部頂上までの高さで表される。本発明において、筒部と壁部のなす角、壁部の高さを算出する基準を図１に示す。図１は、本発明の支持具（１）の側面図を表し、図中の２は筒部を、３は壁部を表す。
【００１１】
本発明において、壁部の形状としては、例えば、図２に示すような円盤状の部材が筒部と概直角をなす場合、及び図３に示すような、筒部に対して鋭角をなす傾斜部分と円盤状の部材からなる場合がある。壁部のその他の形状として、円錐状等、なす角と高さの規定を満たす限りは任意の形状を使用することができる。
【００１２】
本発明の支持具は、壁部が筒部の少なくとも一方の端に位置することが必須であるが、壁部が両端部にあってもよい。
【００１３】
本発明の支持具において、筒部及び壁部が軸方向に沿ってエスター線を取り外すための間隙（スリット）を有することができる。これによりエスター線を容易に取り外すことが可能となり展張の作業効率が高まる。間隙の幅は、直径３〜５ｍｍのエスター線を取り外すことができる程度で任意に設定することができる。
【００１４】
本発明の支持具を構成する材料には特に限定はないが、指示具とエスター線との摩耗を考えると、ポリプロピレン、ポリスチレン、ＡＢＳ等の汎用プラスチックが一般的に使用される。
【００１５】
本発明の支持具は、上記の材料を原料として、射出成形等の公知の成形方法により作製することができる。
【００１６】
本発明の支持具は、筒部及び壁部が軸方向に沿って２つ以上に分割するタイプのものであっても良い。展張作業に際して、案内線（エスター線等）が筒部内を通る様に、分割面同士を合せて一体化し用いる事が出来る。分割面を合せて一体化するには公知の方法をとれば良い。本発明による分割するタイプの支持具の非限定的な態様を図４に示す。
【００１７】
本発明の支持具を使用して農業用ネットを展張する場合は、支持具が壁部を１つのみ備えているときは、当該壁部を展張の方向とは反対側の方向（支持具の進行方向と反対の方向）に配置して行う。
【実施例】
【００１８】
以下に本発明を実施例により更に具体的に説明するが、本発明はその要旨を超えない限り、これらの実施例によって限定されるものではない。
【００１９】
試験方法
三重県松阪市の試験圃場内に、２ｍの高さに６０ｍ長のエスター線を張り、各種ネット及び／又は持具を用いてネットを５０ｍ展開する展張試験を実施した。エスター線は、大日製缶（株）製ディックエスター線＃１４（線径２．０ｍｍ）を使用した。
【００２０】
評価項目と評価基準
ネットを５０ｍ展開した際の、ネットの繰り出し性(展開具合)と、エスター線接点部の擦れ性（擦り切れ）を評価した。評価基準は以下の通りである。
【００２１】
【表１】
2008283881.tif 000002
【００２２】
【表２】
2008283881.tif 000003
【００２３】
実施例１〜５
実施例１〜５では本発明に関る支持具を使用して展張試験を行った。その評価結果を表１に示す。
【００２４】
比較例１〜４
比較例１では、支持具を用いずに生分解ネットを使用して展張試験を行った。比較例２では、支持具を用いずに市販のポリエチレン製ネットを使用して展張試験を行った。また、比較例３では、筒部と壁部とのなす角が１１０°の支持具を、比較例４では、筒部と壁部とのなす角が１０°であり壁部の高さが５ｍｍの支持具を使用して展張試験を行った。これらの評価結果を表２に示す。
【００２５】
【表３】
2008283881.tif 000004
【００２６】
【表４】
2008283881.tif 000005
【００２７】
表１と２を比較すると明らかな通り、本願発明の支持具は、生分解ネット、及び市販のポリエチレン製ネットを使用した何れの場合においても、繰り出し性、擦れ性において優れている。
【００２８】
以上より、本発明の支持具を使用することにより、ネットとエスター線との接触を防ぎながらネットをスムーズに繰り出して展張作業を行うことができる。これにより、ネットの展張作業、特に生分解プラスチックネットでも支障なしに行うことが可能となる。
【図面の簡単な説明】
【００２９】
【図１】本発明の支持具における、筒部と壁部のなす角、壁部の高さを算出する基準を表す図。
【図２】円盤状の部材が筒部と概直角をなす本発明の支持具の概略図。
【図３】筒部に対して鋭角をなす傾斜部分と円盤状の部材からなる本発明の支持具の概略図。
【図４】筒部及び壁部が軸方向に沿って２つ以上に分割する本発明の支持具の概略図。
【図１】
2008283881.tif 000006
【図２】
2008283881.tif 000007
【図３】
2008283881.tif 000008
【図４】
2008283881.tif 000009